(57)【要約】【課題】  複合機能処理実行時に、メモリ資源から確保すべき画像メモリの割り当てを動的に変化させて管理できるため、各画像処理の並列実行性能を最大にすることである。【解決手段】  画像処理決定部４１１０−１により決定された画像処理の内容の変更状態を各ページ毎に判定し、該判定結果に基づいて、メモリ資源から獲得すべき各機能処理に伴う画像データに決定した画像処理を実行するための画像メモリの割り当てを動的に変更するように画像メモリ管理部４１１０−５が制御する構成を特徴とする。【選択図】  図１６
2005110020.tif 000002
【特許請求の範囲】
【請求項１】
画像入力デバイスと画像出力デバイスとを備えて、コピー機能，プリント機能，ファクシミリ通信機能，スキャン機能とを含む複合機能処理を実行可能な画像入出力装置であって、
画像メモリと、
各ページに対する画像処理を決定する決定手段と、
前記決定手段により決定された画像処理を各ページに対する画像データに実行させる画像処理実行手段と、
前記決定手段により決定された画像処理の内容の変更状態をページ毎に判定する判定手段と、
前記判定手段による判定結果に基づいて、前記決定手段により決定した画像処理を実行するための前記画像メモリの割り当てを変更するメモリ管理手段と、
前記判定手段が先行するページの画像処理と先行するページに引き続くページの画像処理の内容が同一であると判定した場合に、前記メモリ管理手段は、前記先行するページに対する画像処理のために確保した画像メモリの割り当てを先行するページに引き続くページの画像処理に割り当てることを特徴とする画像入出力装置。
【請求項２】
前記メモリ管理手段は、前記判定手段が先行するページの画像処理と先行するページに引き続くページの画像処理の内容が異なると判定した場合に、前記先行するページに対する画像処理のために確保した画像メモリの割り当てを変更することを特徴とする請求項１記載の画像入出力装置。
【請求項３】
前記メモリ管理手段は、先行するページの画像処理と先行するページに引き続くページの画像処理の内容が異なる場合には、前のページの一連の処理が終了してから、前記画像メモリの割り当てを変更し、次のページの処理を対応する画像処理実行手段に実行させることを特徴とする請求項１記載の画像入出力装置。
【請求項４】
前記メモリ管理手段は、先行するページの画像処理と先行するページに引き続くページの画像処理の内容が同じ場合には、前のページの一連の処理が終了する前に、次のページの処理を対応する画像処理実行手段に実行させることを特徴とする請求項１記載の画像入出力装置。
【請求項５】
画像入力デバイスと画像出力デバイスとを備えて、コピー機能，プリント機能，ファクシミリ通信機能，スキャン機能とを含む複合機能処理を実行可能な画像入出力装置におけるメモリ管理方法であって、
各ページに対する画像処理を決定する決定ステップと、
前記決定ステップにより決定された画像処理を各ページに対する画像データに実行させる画像処理実行ステップと、
前記決定ステップにより決定された画像処理の内容の変更状態を各ページ毎に判定する判定ステップと、
前記判定ステップによる判定結果に基づいて、メモリ資源から獲得すべき各機能処理に伴う画像データに前記決定ステップにより決定した画像処理を実行するための画像メモリの割り当てを動的に変更するメモリ管理ステップと、
を有することを特徴とするメモリ管理方法。
【請求項６】
前記メモリ管理ステップは、前記判定ステップが各ページ間で機能処理の内容が同一であると判定した場合に、先行するページに対する画像処理のために確保した画像メモリの割り当てを変更しないことを特徴とする請求項５記載のメモリ管理方法。
【請求項７】
前記メモリ管理ステップは、前記判定ステップが各ページ間で機能処理の内容が異なると判定した場合に、先行するページに対する画像処理のために確保した画像メモリの割り当てを変更することを特徴とする請求項５記載のメモリ管理方法。
【請求項８】
前記メモリ管理ステップは、前のページと次のページの一連の処理が異なっていた場合には、前のページの一連の処理が終了してから、前記画像メモリの割り当てを変更し、次のページの処理を対応する画像処理実行ステップに実行させる指示を行うことを特徴とする請求項５記載のメモリ管理方法。
【請求項９】
請求項５〜８のいずれかに記載のメモリ管理方法を実現することを特徴とするプログラム。
【請求項１０】
画像メモリと、
各ページに対する一連の画像処理を決定する決定手段と、
前記決定手段により決定された画像処理を各ページに対する画像データに実行させる画像処理実行手段と、
前記決定手段により決定された画像処理の内容に基づいて、画像メモリの割り当ての変更が必要かどうかをページ毎に判定する判定手段と、
前記判定手段による判定結果に基づいて、メモリ資源から前記決定手段により決定した画像処理を実行するための画像メモリの割り当てを変更するメモリ管理手段と、
前記メモリ管理手段は、前記判定手段が先行するページの処理と先行するページに引き続くページの処理の実行するために画像メモリの割り当ての変更が必要でないと判定した場合に、前記先行するページに対する画像処理のために確保した画像メモリの割り当てを変更せずに、前記先行するページの一連の画像処理を終了する前に先行するページに引き続く処理を実行することを特徴とする画像形成装置。
【請求項１１】
前記メモリ管理手段は、前記判定手段が先行するページの処理と先行するページに引き続くページの処理の実行するために画像メモリの割り当ての変更が必要と判断する場合には、前記先行するページに対する画像処理のために確保した画像メモリの割り当てを変更することを特徴とする請求項１０記載の画像形成装置。
【請求項１２】
前記メモリ管理手段は、前記判定手段が先行するページの処理と先行するページに引き続くページの処理の実行するために画像メモリの割り当ての変更が必要と判断する場合には、先行するページの一連の処理が終了してから、前記画像メモリの割り当てを変更し、次のページの処理を対応する画像処理実行手段に実行させる指示を行うことを特徴とする請求項１０記載の画像形成装置。
【発明の詳細な説明】
【技術分野】
【０００１】
本発明は、画像入力デバイスと画像出力デバイスとを備えて、コピー機能，プリント機能，ファクシミリ通信機能，スキャン機能とを含む複合機能処理を実行可能な画像入出力装置およびメモリ管理方法およびプログラムおよび画像形成装置に関するものである。
【背景技術】
【０００２】
従来、画像入出力デバイスと、画像データを蓄積する画像メモリとを備え、画像の蓄積および入出力処理を実行可能な複合複写機の場合、画像データの蓄積はＨＤＤのような大容量低速記憶装置で行い、スキャンやプリントのような入出力をする際にはＨＤＤ上の画像データを入出力が高速なＤＲＡＭに移してから実行している。このとき、ＤＲＡＭ上に画像メモリとしてある領域を割り当てるが、従来は入出力を実行する直前に画像メモリの獲得処理を行っていた。なお、従来、この種の技術文献として、特許文献１が既に公開されている。
【特許文献１】特開２００１−１０３４７３号公報
【発明の開示】
【発明が解決しようとする課題】
【０００３】
近年の複合複写機では、搭載される機能が多くなったため、複雑な画像処理を実行するようになっている。このため、画像の変倍や回転のような画像処理も画像メモリ上で行うような場合が多くなってきた。
【０００４】
また、複合複写機では画像の入力や出力、画像処理を並行して実行するときの性能が求められている。
【０００５】
しかし、入出力あるいは画像処理の直前に画像メモリを獲得するような単純な方式では、各ページ処理で必要な画像メモリの容量が変動するにも拘わらず、最大の容量を確保し、複数のページから構成される画像データに要求された画像処理を実行と、画像メモリの使用効率と各機能の並行動作の性能を両立した状態で複合機能処理を実行できない、すなわち、プリント処理中に、スキャナ機能の要求がある事態等に対応できない事態を招来するという課題があった。
【０００６】
本発明は、上記の問題点を解決するためになされたもので、本発明の目的は、決定された画像処理の内容の変更状態を各ページ毎に判定し、該判定結果に基づいて、メモリ資源から獲得すべき各機能処理に伴う画像データに決定した画像処理を実行するための画像メモリの割り当てを動的に変更することにより、複合機能処理実行時に、メモリ資源から確保すべき画像メモリの割り当てを動的に変化させて管理できるため、各画像処理の並列実行性能を最大にすることができ、さらに画像処理パスの変化に柔軟かつ、迅速に対応することができる複合画像処理環境を自在に構築することができる画像入出力装置およびメモリ管理方法およびプログラムおよび画像形成装置を提供することである。
【課題を解決するための手段】
【０００７】
本発明に係る第１の発明は、画像入力デバイスと画像出力デバイスとを備えて、コピー機能，プリント機能，ファクシミリ通信機能，スキャン機能とを含む複合機能処理を実行可能な画像入出力装置であって、画像メモリと、各ページに対する画像処理を決定する決定手段（例えば図１６に示す画像処理決定部４１１０−１）と、前記決定手段により決定された画像処理を各ページに対する画像データに実行させる画像処理実行手段（例えば図１６に示す画像処理実行部４１１０−２〜４１１０−４）と、前記決定手段により決定された画像処理の内容の変更状態を各ページ毎に判定する判定手段（例えば図１６に示す画像メモリ管理部４１１０−５）と、前記判定手段による判定結果に基づいて、前記決定手段により決定した画像処理を実行するための画像メモリの割り当てを動的に変更するメモリ管理手段（例えば図１６に示す画像メモリ管理部４１１０−５）と、前記判定手段が先行するページの画像処理と先行するページに引き続くページの画像処理の内容が同一であると判定した場合に、前記メモリ管理手段は、前記先行するページに対する画像処理のために確保した画像メモリの割り当てを先行するページに引き続くページの画像処理に割り当てることを特徴とする。
【０００８】
本発明に係る第２の発明は、前記メモリ管理手段は、前記判定手段が先行するページの画像処理と先行するページに引き続くページの画像処理の内容が異なると判定した場合に、前記先行するページに対する画像処理のために確保した画像メモリの割り当てを変更することを特徴とする。
【０００９】
本発明に係る第３の発明は、前記メモリ管理手段は、先行するページの画像処理と先行するページに引き続くページの画像処理の内容が異なる場合には、前のページの一連の処理が終了してから、前記画像メモリの割り当てを変更し、次のページの処理を対応する画像処理実行手段に実行させることを特徴とする。
【００１０】
本発明に係る第４の発明は、前記メモリ管理手段は、先行するページの画像処理と先行するページに引き続くページの画像処理の内容が同じ場合には、前のページの一連の処理が終了する前に、次のページの処理を対応する画像処理実行手段に実行させることを特徴とする。
【００１１】
本発明に係る第５の発明は、画像入力デバイスと画像出力デバイスとを備えて、コピー機能，プリント機能，ファクシミリ通信機能，スキャン機能とを含む複合機能処理を実行可能な画像入出力装置におけるメモリ管理方法であって、画像メモリと、各ページに対する画像処理を決定する決定ステップ（例えば図１６に示すステップ（５１０１））と、前記決定ステップにより決定された画像処理を各ページに対する画像データに実行させる画像処理実行ステップ（例えば図１６に示すステップ（５１１２），（５１３１））と、前記決定ステップにより決定された画像処理の内容の変更状態を各ページ毎に判定する判定ステップ（例えば図１６に示すステップ（５１３３））と、前記判定ステップによる判定結果に基づいて、前記決定ステップにより決定した画像処理を実行するための画像メモリの割り当てを動的に変更するメモリ管理ステップ（例えば図１６に示すステップ（５１０１），（５１４６））と、前記判定ステップが先行するページの画像処理と先行するページに引き続くページの画像処理の内容が同一であると判定した場合に、前記メモリ管理ステップは、前記先行するページに対する画像処理のために確保した画像メモリの割り当てを先行するページに引き続くページの画像処理に割り当てることを特徴とする。
【００１２】
本発明に係る第６の発明は、前記メモリ管理ステップは、前記判定ステップが各ページ間で機能処理の内容が同一であると判定した場合に、先行するページに対する画像処理のために確保した画像メモリの割り当てを変更しないことを特徴とする。
【００１３】
本発明に係る第７の発明は、前記メモリ管理ステップは、前記判定ステップが各ページ間で機能処理の内容が異なると判定した場合に、先行するページに対する画像処理のために確保した画像メモリの割り当てを変更することを特徴とする。
【００１４】
本発明に係る第８の発明は、前記メモリ管理ステップは、前のページと次のページの一連の処理が異なっていた場合には、前のページの一連の処理が終了してから、前記画像メモリの割り当てを変更し、次のページの処理を対応する画像処理実行ステップに実行させる指示を行うことを特徴とする。
【００１５】
本発明に係る第９の発明は、第５〜第８の発明のメモリ管理方法を実現するプログラムであることを特徴とする。
【００１６】
本発明に係る第１０の発明は、画像メモリと、各ページに対する一連の画像処理を決定する決定手段と、前記決定手段により決定された画像処理を各ページに対する画像データに実行させる画像処理実行手段と、前記決定手段により決定された画像処理の内容に基づいて、画像メモリの割り当ての変更が必要かどうかをページ毎に判定する判定手段と、前記判定手段による判定結果に基づいて、メモリ資源から前記決定手段により決定した画像処理を実行するための画像メモリの割り当てを変更するメモリ管理手段と、前記メモリ管理手段は、前記判定手段が先行するページの処理と先行するページに引き続くページの処理の実行するために画像メモリの割り当ての変更が必要でないと判定した場合に、前記先行するページに対する画像処理のために確保した画像メモリの割り当てを変更せずに、前記先行するページの一連の画像処理を終了する前に先行するページに引き続く処理を実行することを特徴とする。
【００１７】
本発明に係る第１１の発明は、前記メモリ管理手段は、前記判定手段が先行するページの処理と先行するページに引き続くページの処理の実行するために画像メモリの割り当ての変更が必要と判断する場合には、前記先行するページに対する画像処理のために確保した画像メモリの割り当てを変更することを特徴とする。
【００１８】
本発明に係る第１２の発明は、前記メモリ管理手段は、前記判定手段が先行するページの処理と先行するページに引き続くページの処理の実行するために画像メモリの割り当ての変更が必要と判断する場合には、先行するページの一連の処理が終了してから、前記画像メモリの割り当てを変更し、次のページの処理を対応する画像処理実行手段に実行させる指示を行うことを特徴とする。
【発明の効果】
【００１９】
本発明によれば、複合機能処理実行時に、メモリ資源から確保すべき画像メモリの割り当てを動的に変化させて管理できるため、各画像処理の並列実行性能を最大にすることができ、さらに画像処理パスの変化に柔軟かつ、迅速に対応することができる複合画像処理環境を自在に構築することができるという効果を奏する。
【発明を実施するための最良の形態】
【００２０】
次に本発明を実施するための最良の形態について図面を参照して説明する。
【００２１】
図１は、本発明の一実施形態を示す画像入出力装置を適用可能な画像形成装置システムの全体の構成を説明するブロック図である。
【００２２】
図１において、２００は画像形成装置で、画像入力デバイスであるスキャナ部２０７０、画像出力デバイスであるプリンタ部２０９５、Ｃｏｎｔｒｏｌｌｅｒ Ｕｎｉｔ ２０００、ユーザインタフェースである操作部２０１２から構成される。
【００２３】
スキャナ部２０７０、プリンタ部２０９５、操作部２０１２は、それぞれＣｏｎｔｒｏｌｌｅｒ Ｕｎｉｔ２０００に接続され、Ｃｏｎｔｒｏｌｌｅｒ Ｕｎｉｔ２０００は、ＬＡＮ２０１１１などのネットワーク伝送手段、公衆回線に接続されている。
【００２４】
公衆回線からはカラー画像送信を含むＧ３、Ｇ４ファックスによる送信が可能である。
【００２５】
また、ＬＡＮ２０１１１には、画像形成装置２００と同様の機器構成をもつ他の画像形成装置２２０、２３０が接続されている。また、パーソナルコンピュータ（以下ＰＣ）２４０が接続されていて、ＦＴＰ，ＳＭＢプロトコルを使用したファイルの送受信、電子メールの送受信ができる。画像形成装置２２０、２３０は、それぞれスキャナ部２２７０、２３７０、プリンタ部２２９５、２３９５、操作部２２１２、２３１２を持ち、それらがＣｏｎｔｒｏｌｌｅｒ  Ｕｎｉｔ２２００、２３００に接続されている。
【００２６】
図２は、図１に示した画像形成装置２００の構成を説明するブロック図である。
【００２７】
図２において、Ｃｏｎｔｒｏｌｌｅｒ Ｕｎｉｔ ２０００は画像入力デバイスであるカラースキャナ２０１５や画像出力デバイスであるカラープリンタ２０１７と接続し、一方ではＬＡＮ２００８や公衆回線(ＷＡＮ)２０５１と接続することで、画像情報やデバイス情報の入出力を行う為のコントローラである。
【００２８】
ＣＰＵ２００１はシステム全体を制御するコントローラとして機能する。ＲＡＭ２００２は、ＣＰＵ２００１が動作するためのシステムワークメモリとして機能するとともに、画像データを一時記憶するための画像メモリとして機能する。ＲＯＭ２００３は、ブートＲＯＭであり、システムのブートプログラムが格納されている。
【００２９】
ＨＤＤ２００４はハードディスクドライブで、システムソフトウェア、画像データを格納する。操作部Ｉ／Ｆ２００５は操作部（ＵＩ）２００６とのインタフェース部であり、操作部２００６に表示する画像データを操作部２００６に対して出力する。
【００３０】
また、操作部２００６から本システム使用者が入力した情報を、ＣＰＵ２００１に伝える役割をする。Ｎｅｔｗｏｒｋ２００７はＬＡＮ２００８に接続し、情報の入出力を行う。
【００３１】
Ｍｏｄｅｍ２０５０は公衆回線２０５１に接続し、画像情報の入出力を行う。２値画像回転部２０５２、および２値画像圧縮・伸長部２０５３はＭｏｄｅｍ２０５０で２値画像を送信する前に画像の方向を変換したり、所定の解像度、あるいは相手能力に合わせた解像度に変換するためのものである。なお、本実施形態において、圧縮、伸長はＪＢＩＧ、ＭＭＲ、ＭＲ、ＭＨ をサポートしている。
【００３２】
ＤＭＡＣ２００９はＤＭＡコントローラであり、ＲＡＭ２００２に格納されている画像をＣＰＵ２００１を介することなく読み取りＩｍａｇｅＢｕｓＩ／Ｆ２０１１に対して画像転送する、もしくは画像バスからの画像をＣＰＵ２００１を介することなくＲＡＭ２００２に書き込む。以上のデバイスがシステムバス２００８に接続される。
【００３３】
ＩｍａｇｅＢｕｓＩ／Ｆ２０１１は画像バス（Ｉｍａｇｅ  Ｂｕｓ）２０１０を介して高速な画像の入出力を制御するためのインタフェースである。圧縮器２０１２は画像バス２０１０に画像を送出する前に３２画素ｘ３２画素の単位でＪＰＥＧ圧縮するための圧縮器である。伸長器２０１３は画像バス２０１０を介して送られた画像を伸長するための伸長器である。
【００３４】
ラスタイメージプロセッサ（ＲＩＰ）２０１８は、ホストコンピュータからのＰＤＬコードをＮｅｔｗｏｒｋ２００７を介して受け取り、システムバス２００８を通して、ＣＰＵ２００１がＲＡＭ２００２に格納する。
【００３５】
ＣＰＵ２００１はＰＤＬを中間コードに変換し、再度システムバス２００８を介してＲＩＰ２０１８に入力し、ビットマップイメージ（多値）に展開する。スキャナ画像処理部２０１４は、スキャナ２０１５からのカラー画像、白黒画像に対して、適切な各種画像処理（たとえば補正、加工、編集）を行い出力する（多値）。
【００３６】
同様に、プリンタ画像処理部２０１６はプリンタ２０１７に対して適切な各種画像処理（例えば補正、加工、編集）を行う。プリント時は伸長器２０１３で２値多値変換を行うので、２値、および多値出力が可能である。
【００３７】
画像変換部２０３０は、ＲＡＭ２００２上にある画像データを画像変換し、再度、ＲＡＭ２０３０に書き戻すときに使われる各種画像変換機能を有する。
【００３８】
回転器２０１９は、３２画素×３２画素単位の画像を指定された角度で回転でき、２値、および多値の入出力に対応している。変倍器２０２０は、画像の解像度を変換（たとえば６００ｄｐｉから２００ｄｐｉ）したり、変倍したりする機能（たとえば２５%から４００%まで）を有する。変倍する前には３２×３２画素の画像を３２ライン単位の画像に並び替える。
【００３９】
色空間変換部２０２１は多値入力された画像をマトリクス演算、およびＬＵＴにより、たとえばメモリ上にあるＹＵＶ画像をＬａｂ画像に変換し、メモリ上に格納する。また、この色空間変換は３ｘ８のマトリクス演算および、１次元ＬＵＴをもち、公知の下地とばしや裏写り防止を行うことができる。変換された画像は多値で出力される。
【００４０】
２値多値変換器２０２２は、１ｂｉｔ２値画像を多値８ｂｉｔ、２５６階調にする。逆に多値２値変換器２０２２は、例えばメモリ上にある８ｂｉｔ、２５６階調の画像を誤差拡散処理などの手法により１ｂｉｔ、２階調に変換し、メモリ上に格納する。
【００４１】
なお、合成はメモリ上の２枚の多値画像を合成し、１枚の多値画像にする機能を有する。例えば、メモリ上にある会社ロゴの画像と原稿画像を合成することで、原稿画像に簡単に会社ロゴをつけることができる。
【００４２】
間引き器２０２４は、多値画像の画素を間引くことで、解像度変換を行うユニットであり１／２，１／４，１／８の多値画像を出力可能である。変倍器２０２０と合わせて使うことで、より広範囲な拡大、縮小を行うことができる。移動２０２５は入力された２値画像、多値画像に余白部分をつけたり、余白部分を削除したりして出力することができる。
【００４３】
回転器２０１９、変倍器２０２０、色空間変換器２０２１、２値多値変換器２０２２、合成器２０２３、間引き器２０２４、移動器２０２５、多値２値器２０２６ははそれぞれ連結して動作することが可能で、例えばメモリ上の多値画像を画像回転、解像度変換する場合は、両処理をメモリを介さずに連結して行うことができる。
【００４４】
図３は、本発明に係る画像入出力装置における画像データの構造を説明する図であり、本実施形態では、特開２００１−１０３４７３号公報で開示されている画像パケット構造を利用している。
【００４５】
図３に示すように、圧縮器２０１２ではラスタ形式の画像を、３２×３２画素単位のパケットとして並び替え、パケット単位でＪＰＥＧ圧縮を行う。同時にパケットにパケットの位置を示すＩＤ、色空間、ＱテーブルＩＤ、データ長などの情報を付加してヘッダとする。文字、写真を示す２値のデータ（像域フラグ）も同様に圧縮して、ＪＰＥＧの後ろに付随させる。
【００４６】
図４は、図３に示したパケットデータの一例を示す図である。
【００４７】
図４において、パケットデータは、パケットＩＤ，色空間情報，ＱテーブルＩＤ，パケット長，画像情報，領域フラグ（ＭＭＲ）等から構成されている。
【００４８】
伸長器２０１３では、パケットＩＤ，色空間情報，ＱテーブルＩＤ，パケット長等のヘッダー情報をもとにＪＰＥＧを展開し、ラスタ画像に並び替える。このようなパケット画像にすることで、画像回転のときにはパケット内部の画像のみを回転し、パケットＩＤの位置を変更することで、部分的に伸長圧縮で回転することができるため非常に効率がよい。ＩｍａｇｅＢｕｓ２０１０を流れる画像はすべてパケット画像になる。
【００４９】
また、画像をメモリ上で扱う場合には、パケットテーブルを用いる。パケットテーブルは１要素が１つのパケットの先頭アドレスとサイズになっており、これを主走査、副走査に並べることにより一つの画像を示している。パケットテーブルを用いることにより、画像を構成するパケットがメモリ上で離散的に配置されている場合でも一つの画像として扱うことが可能になる。
【００５０】
ＦＡＸ送信や２値画像回転部２０５２、２値画像圧縮・伸長部２０５３などでラスタ画像が必要な場合は、パケット画像からラスタ画像への変換をソフトウエアによって行う。
【００５１】
図５は、図２に示したスキャナ画像処理部２０１４の構成を説明する詳細ブロック図である。
【００５２】
図５において、スキャナ２０１５から入力されたＲＧＢ各８ｂｉｔの輝度信号はマスキング処理部（マスキング）２５０１によりＣＣＤのフィルタ色に依存しない標準的なＲＧＢ色信号に変換される。
【００５３】
フィルタ２５０２では例えば９×９のマトリクスを使用し、画像をぼかしたり、メリハリをつける処理が行われる。続く、ヒストグラム処理部（ヒストグラム）２５０３は入力画像中の画像信号データのサンプリングを行い、入力画像の下地レベル判定に使用される。このモジュールでは主走査方向、副走査方向にそれぞれ指定した開始点から終了点で囲まれた矩形領域内のＲＧＢデータを、主走査方向、副走査方向に一定のピッチでサンプリングし、ヒストグラムを作成する。
【００５４】
このヒストグラム２５０３は、下地とばしや、裏写り防止が指定されたとき、読み出され、作成されるヒストグラムから原稿の下地を推測し、下地とばしレベルとして、画像とともにメモリやＨＤＤに保存、管理され、印刷や送信時の画像処理に使用される。
【００５５】
ガンマ処理部（ガンマ）２５０４では、画像全体の濃度を濃くあるいは薄くするように処理が行われる。例えば入力画像の色空間を任意の色空間に変換したり、入力系の色味に関する補正処理を行う部分である。原稿がカラーか白黒かを判断するために変倍前の画像信号を色空間変換２５０５によって、公知の色空間Ｌａｂに変換する。このうちａ，ｂは色信号成分を表しており、比較器２５０６内の所定のレベル以上であれば有彩色、そうでなければ無彩色として１ｂｉｔの判定信号を比較器２５０６から出力する。
【００５６】
カウンタ２５０７は、比較器２５０６からの出力を計測する。文字／写真判定２５０８は、画像データから文字エッジを抽出し、画像データを文字データと写真データに分離する機能である。この際、出力として、文字写真判定信号が得られる。この信号も画像データとともにメモリやＨＤに格納され、印刷時に使用される。
【００５７】
２５０９は特定原稿判定器であり、入力画像信号と、判定器内部で持つパターンがどの程度一致するかを比較し、図示したように一致、不一致という判定結果を読み出すことが可能である。判定結果に応じて、画像を加工し、紙幣や有価証券などの偽造を防止する。
【００５８】
図６は、図２に示したプリンタ画像処理部２０１６の詳細構成を説明するブロック図である。
【００５９】
図６において、２６０１は下地とばし処理部（下地とばし）で、画像データの地色を飛ばし、不要な下地のカブリ除去を行う。例えば、３×８のマトリクス演算や、１次元ＬＵＴにより下地飛ばし処理を行う。これは前述したように色空間変換器２０２１にも含まれる機能であり、まったく同等の回路である。
【００６０】
２６０２はモノクロ生成部（モノクロ生成）で、カラー画像データをモノクロデータに変換し、単色としてプリントする際に、カラー画像データ、例えばＲＧＢデータを、Ｇｒａｙ単色に変換する。例えば、ＲＧＢに任意の定数を掛け合わせ、Ｇｒａｙ信号とする１×３のマトリクス演算から構成される。
【００６１】
２６０３は出力色補正部（出力色補正）で、画像データを出力するプリンタ部の特性に合わせて色補正を行う。例えば４×８のマトリクス演算や、ダイレクトマッピングによる処理から構成される。２６０４はフィルタ処理部で、画像データの空間周波数を任意に補正する。例えば９×９のマトリクス演算を行う処理から構成される。
【００６２】
２６０５はガンマ補正部（ガンマ補正）で、出力するプリンタ部の特性に合わせて、ガンマ補正を行う。例えば通常１次元のＬＵＴから構成される。２６０６は中間調補正処理部（中間調補正）で、出力するプリンタ部の階調数に合わせて任意の中間調処理を行う。例えば２値化や３２値化など、任意のスクリーン処理や、誤差拡散処理を行う。各処理は図示しない文字／写真判定信号によって切り替えることも可能である。
【００６３】
２６０７はドラム間遅延メモリで、ＣＭＹＫの各色のドラムを持つカラープリンタにおいて、ＣＭＹＫの印字タイミングをドラム間分ずらすことで、ＣＭＹＫ画像を重ね合わせるためのメモリである。ＣＭＹＫ各色４ドラムを持つカラープリンタにおいて画像の位置を合わせるために遅延させることができる。
【００６４】
図７は、図２に示した画像入力出力デバイスの外観を示す斜視図であり、図２と同一のものには同一の符号を付してある。
【００６５】
図７において、本実施形態における画像入力デバイスであるスキャナ２０１５は、原稿となる紙上の画像を照明し、ＣＣＤラインセンサ(図示せず)を走査することで、ラスタイメージデータとして電気信号に変換する。原稿用紙は原稿フィーダ２７０１のトレイ２７０２にセットし、装置使用者が操作部２００６から読み取り起動指示することにより、ＣＰＵ２００１がスキャナ２０１５に指示を与え、原稿フィーダ２０７１のトレイ２７０２から原稿用紙を１枚ずつフィードし原稿画像の読み取り動作を行う。
【００６６】
画像出力デバイスであるプリンタ２０１７は、ラスタイメージデータを用紙上の画像に変換する部分であり、その方式は感光体ドラムや感光体ベルトを用いた電子写真方式、微小ノズルアレイからインクを吐出して用紙上に直接画像を印字するインクジェット方式等があるが、どの方式でも構わない。プリント動作の起動は、ＣＰＵ２００１からの指示によって開始する。プリンタ部２０１７には、異なる用紙サイズまたは異なる用紙向きを選択できるように複数の給紙段を持ち、それに対応した用紙カセット２７０３、２７０４、２７０５がある。また、排紙トレイ２７０６は印字し終わった用紙を受ける排紙トレイである。
【００６７】
図８は、図２に示した操作部２００６の一例を示す平面図である。
【００６８】
図８において、ＬＣＤ表示部２８０１は、ＬＣＤ上にタッチパネルシート２８０２が貼られており、システムの操作画面およびソフトキーを表示するとともに、表示してあるキーが押されるとその位置情報をＣＰＵ２００１に伝える。スタートキー２８０３は原稿画像の読み取り動作を開始する時などに用いる。
【００６９】
スタートキー２８０３の中央部には、緑と赤の２色ＬＥＤ２８０４があり、その色によってスタートキー２８０３が使える状態にあるかどうかを示す。ストップキー２８０５は稼働中の動作を止める働きをする。
【００７０】
ＩＤキー２８０６は、使用者のユーザＩＤを入力する時に用いる。リセットキー２８０７は操作部からの設定を初期化する時に用いる。
【００７１】
図９は、図８に示したＬＣＤ表示部２８０１に表示される操作画面の一例を示す図であり、本画面表示例は、画像入力出力装置における初期画面であり、各画像形成機能設定後に戻ってくる標準画面でもある。
【００７２】
図９において、３１０１はコピーボタンで、コピー設定を行うための画面切り替えを行う。３１０２は送信ボタンで、スキャンした画像をファックスや電子メールで送信する設定を行うための画面切り替えを行う。３１０３はボックスボタンで、内蔵ＨＤＤにスキャン画像、ＰＤＬ画像を格納する、あるいは格納されたスキャン画像、ＰＤＬ画像を印字、あるいは送信する、あるいは編集する設定を行うための画面切り替えを行う。
【００７３】
３１０４は解像度設定ウインドで、読み込み設定ボタン３１０５によって設定された画像読み込み時の設定を表示する。読み込み設定ボタン３１０５は画像読み込み時の解像度、濃度などを設定する。
【００７４】
３１０６は送信設定ボタンで、タイマ送信時のタイマ設定、ＨＤＤあるいはプリンタに印字する場合の設定などを行う。３１０７は表示部で、宛先表ボタン３１０８によって指定された送信宛先の表示を行う。３１０９は詳細情報ボタンで、表示部３１０７に表示された１宛先の詳細な情報の表示を行う際に指示する。３１１０は消去ボタンで、表示部３１０７に表示された１宛先の消去を行う。
【００７５】
図１０は、図８に示したＬＣＤ表示部２８０１に表示される操作画面の一例を示す図であり、本画面表示例は、図９に示した読み込み設定ボタン３１０５を押下したときに表示されるポップアップウィンドウである。
【００７６】
図１０において、３２０１はサイズ表示部で、読み取り原稿サイズをポップアップのなかから選択入力し、設定された読み取りサイズは表示部３２０２に表示される。
【００７７】
３２０３はカラーモード選択ボタンであり、押下すると、原稿の読み取りモードとして、カラー/ブラック/自動（ＡＣＳ）の３種類が選択できる。カラーモードに関してはコピー、ボックスでも同様に選択ができる。カウンタ２５０７の計測結果が所定値よりも小さければ白黒原稿、大きければカラー原稿と判断し、カラーの場合はカラー画像を、ブラックの場合には白黒画像を、ＡＣＳの場合にはカラー画像と原稿がカラーか白黒かを判別した結果を蓄積する。
【００７８】
３２０４は解像度の指定部で、読みとりの解像度を指定するためポップアップからの選択入力になる。３２０５はスライダで、原稿の読み取り濃度を、例えば９段階で調整が可能に構成されている。３２０６は濃度設定部で、新聞のように下地がかぶった画像を読み込む場合に、濃度を自動的に決定する。なお、濃度設定部３２０６についてはコピー処理時でも同様の設定が可能である。
【００７９】
図１１は、図８に示したＬＣＤ表示部２８０１に表示される操作画面の一例を示す図であり、本画面表示例は、コピーボタン３１０１を押下したときの画面表示に対応する。
【００８０】
図１１において、３３０１はテキスト表示部で、コピーできる状態が否かを示すところであり、同時に設定したコピー部数も表示される。３３０２はボタンで、濃度設定部３２０６と同等の機能であり、下地除去を自動的にするかしないかを選択するためのボタンである。
【００８１】
３３０３はスライダで、スライダ３２０５と同等の機能であり、９段階の濃度調整が可能に構成されている。３３０４は原稿のタイプ選択ボタンで、原稿のタイプとして、本実施形態では、文字，写真，地図，印画紙写真，印刷写真等のいずれかを選択できる。３３０５は応用モードボタンであり、縮小レイアウト（複数枚の原稿を１枚の用紙に縮小印字する機能）や、カラーバランス（ＣＭＹＫの各色微調整）などが設定できる。
【００８２】
３３０６はソフトソートボタンで、各種フィニッシングにかかわる設定を行うボタンとして機能し、例えばシフトソート、ステープルソート、グループソートが設定できる。３３０７は両面設定ボタンで、両面読み込み、および、両面印刷にかかわる設定を行えるように構成されている。
【００８３】
図１２は、図８に示したＬＣＤ表示部２８０１に表示される操作画面の一例を示す図であり、本画面表示例は、図９に示したボックスタブ３１０３を押下したときの画面表示例に対応する。
【００８４】
図１２において、３４０１はフォルダ表示部で、ＨＤＤを論理的に区分した各フォルダ名が表示される。各フォルダには、フォルダ番号があらかじめ割り振られており、先頭フォルダは０番目のフォルダになる。
【００８５】
なお、本実施形態において、フォルダ番号の横にはフォルダで使用しているディスク容量の割合が表示されている。また、フォルダには任意の名前をつけることができ、名前もここに表示される。３４０２は使用状況表示部で、ＨＤＤ全体の使用量が表示される。
【００８６】
図１３は、図８に示したＬＣＤ表示部２８０１に表示される操作画面の一例を示す図であり、本画面表示例は、図１２に示すフォルダ選択ボタン３４０１を押下したときの画面表示例に対応する。
【００８７】
図１３において、３５０１，３５０２は文書表示部で、上記０番目のフォルダに格納されている文書名が表示される。なお、各文書は複数のページで構成されている。
【００８８】
文書表示部３５０１はスキャンした文書であり、スキャン文書であることを識別表示するためのユニークな形状のアイコンで表示され、ＨＤＤ使用量、さらにユーザが任意に設定できる文書名を表示している。
【００８９】
文書表示部３５０２はＰＤＬから格納したＰＤＬ文書であることを識別表示するためのユニークな形状のアイコンで表示されている。なお、本実施形態では、タッチパネルで、該アイコンを押下することで、その文書が選択されたことが反転表示によって示される。
【００９０】
３５０３は送信ボタンで、選択された文書を送信する際に指示される。３５０４は読み込みボタンで、スキャナから原稿を読み込み、文書を生成する際に指示される。３５０５は全選択ボタンで、フォルダ内のすべての文書を選択する際に指示される。
【００９１】
３５０６は削除ボタンで、選択された文書を削除する際に指示される。３５０７はプリントボタンで、選択された文書を印刷する際に指示される。３５０８は編集ボタンで、選択された文書を編集する際に指示される。なお、本実施形態における画像入出力装置では、例えば２つの文書を選択して、結合し、１つの文書にして保存したり、特定のページを削除する機能を持っている。
【００９２】
３５０９は詳細情報ボタンで、最後に選択された文書の詳細情報を表示する際に指示される。該ボタン３５０９が指示されると、文書名以外にも解像度、原稿サイズ、カラーなどの情報を表示することができる。３５１０は閉じるボタンである。
【００９３】
図１４は、本発明に係る画像入出力装置のモジュール構成を説明するブロック図である。なお、本実施形態において、各モジュールは、階層構造で定義されている。
【００９４】
図１４において、４０１０はＵＩ制御部（ＵＩ）で、表示操作部を制御する。なお、ＵＩ制御部４０１０からの指示を受け、コピー動作、送信動作、ボックス画面からのスキャン、プリントを実行するコピーアプリケーション部４０２０、送信アプリケーション部４０２１、ＢＯＸアプリケーション部４０２２が起動される。
【００９５】
また、ネットワークアプリケーション４１２０からのＰＤＬプリントデータをうけＰＤＬプリントジョブを投入するＰＤＬアプリケーション部４０２３がある。
【００９６】
４０３０は機器制御部分の機器依存部分を吸収するための共通インタフェース部である。４０４０はジョブマネージャで、共通インタフェース４０３０から受け取ったジョブ情報を整理し、下位層のドキュメント処理部に伝達する。
【００９７】
ドキュメント処理部は、ローカルコピーであればスキャンマネージャ４０５０とプリントマネージャ４０９０、リモートコピーの送信ジョブ、あるいは送信ジョブであればスキャンマネージャ４０５０とファイルストアマネージャ４１００、リモートコピーの受信ジョブであればファイルリードマネージャ４０６０とプリントマネージャ４０９０、ＬＩＰＳ（登録商標）やＰｏｓｔＳｃｒｉｐｔ（登録商標）などのＰＤＬプリントではＰＤＬマネージャ４０７０とプリントマネージャ４０９０である。
【００９８】
各ドキュメントマネージャ間の同期とり、および各種画像処理を行うイメージマネージャ４１１０への画像処理の依頼はシンクマネージャ４０８０を介して行う。スキャン、プリント時の画像処理や画像ファイルの格納はイメージマネージャ４１１０が行う。
【００９９】
まず、ローカルコピーのソフト処理について説明する。
【０１００】
使用者の指示によりＵＩ制御部４０１０からコピー指示とともにコピーの設定がコピーアプリケーション部４０２０に伝わる。これを受けて、コピーアプリケーション部４０２０は、ＵＩ制御部４０１０からの情報を共通インタフェース４０３０を介して、機器制御を行うジョブマネージャ４０４０に伝える。
【０１０１】
ジョブマネージャ４０４０はスキャンマネージャ４０５０とプリントマネージャ４０９０にジョブの情報を伝達する。スキャンマネージャ４０５０は、図示しないデバイスＩ／Ｆ（デバイスＩ／Ｆはコントローラ２０００とスキャナ２０１５、およびコントローラ２０００とプリンタ２０１７を結ぶシリアルＩ／Ｆ）を介してスキャナ２０７０にスキャン要求を行う。
【０１０２】
また、同時にシンクマネージャ４０８０を介してイメージマネージャ４１１０にスキャン用の画像処理要求を出す。イメージマネージャ４１１０はスキャンマネージャ４０５０の指示に従って、スキャナ画像処理部２０１４の設定を行う。設定が完了したら、シンクマネージャ４０８０を介してスキャン準備完了を伝える。その後、スキャンマネージャ４０５０はスキャナ２０７０に対してスキャンを指示する。スキャン画像転送完了は図示しないハードウェアからの割り込み信号によってイメージマネージャ４１１０に伝わる。
【０１０３】
イメージマネージャ４１１０からのスキャン完了を受けてシンクマネージャ４０８０はスキャン完了をスキャンマネージャ４０５０、プリントマネージャ４０９０に伝える。
【０１０４】
同時にシンクマネージャ４０８０は、ＲＡＭ２００２に蓄積された圧縮画像をＨＤＤ２００４にファイル化するためイメージマネージャ４１１０に指示する。イメージマネージャ４１１０は、指示に従ってメモリ上の画像（文字／写真判定信号を含めて）をＨＤＤ２００４に格納する。画像データの付随情報として図示しないＳＲＡＭにカラー判定／白黒判定結果、下地とばしを行うための下地とばしレベル、画像入力元としてスキャン画像、色空間ＲＧＢも格納しておく。
【０１０５】
また、ＨＤＤ２００４への格納が終了し、スキャナ２０７０からのスキャン完了を受けたら、シンクマネージャ４０８０を介してスキャンマネージャ４０５０にファイル化終了を通知する。
【０１０６】
スキャンマネージャ４０５０はジョブマネージャ４０４０に対して終了通知を返し、ジョブマネージャ４０４０は共通インタフェース４０３０を介してコピーアプリケーション部４０２０へ返す。
【０１０７】
プリントマネージャ４０９０は、メモリに画像データが入った時点でデバイスＩ／Ｆを介して、プリンタ２０９５に印刷要求を出す。
【０１０８】
同時に、シンクマネージャ４０８０にプリント画像処理要求を行う。シンクマネージャ４０８０はプリントマネージャ４０９０から要求を受けたら画像処理設定をイメージマネージャ４１１０に依頼する。イメージマネージャ４１１０は、前記の画像データの付随情報に従ってプリンタ画像処理部２０１５の設定を行い、シンクマネージャ４０８０を介してプリントマネージャ４０９０にプリント準備完了を伝える。
【０１０９】
プリントマネージャ４０９０は、プリンタ２０１７に対して印刷指示を出す。プリント画像転送完了は図示しないハードウェアからの割り込み信号によってイメージマネージャ４１１０に伝わる。
【０１１０】
イメージマネージャ４１１０からのプリント完了を受けてシンクマネージャ４０８０はプリント完了をプリントマネージャ４０９０に伝える。プリントマネージャ４０９０は、プリンタ２０１７からの排紙完了を受け、ジョブマネージャ４０４０に対して終了通知を返し、ジョブマネージャ４０４０は共通インタフェース４０３０を介してコピーアプリケーション部４０２０へ返す。コピーアプリケーション部４０２０はスキャン、プリントが終了したらジョブ終了をＵＩ制御部に通知する。
【０１１１】
一方、リモートコピーのスキャンジョブ、送信ジョブの場合は、プリントマネージャ４０９０に代わってファイルストアマネージャ４１００がジョブマネージャ４０４０からの要求を受ける。
【０１１２】
つまり、スキャン画像をＨＤＤに格納し終わった時点で、シンクマネージャ４０８０から格納完了通知を受け、それを共通インタフェース４０３０を介してリモートコピーならコピーアプリケーション部４０２０に、送信ジョブなら送信アプリケーション部４０２１に通知する。
【０１１３】
コピーアプリケーション部４０２０、送信アプリケーション４０２１はこの通知の後、ネットワークアプリケーション４１２０に対してＨＤＤに格納されたファイルの送信を依頼する。そして、依頼を受けたネットワークアプリケーション４１２０がファイルを送信する。
【０１１４】
ネットワークアプリケーション４１２０は、ジョブ開始時にコピーアプリケーション部４０２０からコピーに関する設定情報を受け、それもリモート側の機器に通知する。ネットワークアプリケーション４１２０は、リモートコピーの場合、機器固有の通信プロトコルを使用して送信を行う。また、送信ジョブの場合はＦＴＰ、ＳＭＢのような標準的なファイル転送プロトコルを使用する。
【０１１５】
他方、ファックス送信する場合は、ファイル格納後、送信アプリケーション４０２１から共通インタフェース４０３０、ジョブマネージャ４０４０を介してＦＡＸマネージャ４０４１に送信が指示される。
【０１１６】
この際、ＦＡＸマネージャ４０４１は、Ｍｏｄｅｍ２０５０を介して、相手機器とネゴシエーションし、必要な画像処理（カラー→白黒変換、多値２値変換、回転、変倍）をイメージマネージャ４１１０に依頼し、変換後の画像をＭｏｄｅｍを使って送信する。
【０１１７】
また、送信先にプリンタがある場合、送信アプリケーションは共通インタフェース４０３０を介してプリントジョブとしてプリントの指示を行う。その時の動作は以下で説明するリモートコピーのプリントジョブの場合と同様である。また、送信宛先が機器内のボックス宛先になっているときはファイルストアマネージャ４１００によって機器内のファイルシステムに格納する。
【０１１８】
また、ＦＡＸ受信時はＦＡＸマネージャがＭｏｄｅｍ２０５０を使って画像データを受信し、画像ファイルとしてＨＤＤ２００４に格納する。ＨＤＤ２００４格納後にボックスアプリケーション４０２２に通知すると、ボックスアプリケーション４０２２から受信プリントの指示が共通インタフェース４０３０を介して、ジョブマネージャ４０４０になされる。その後は、通常のボックスプリントジョブと同じ動作になるため省略する。
【０１１９】
一方、リモートコピーのプリントジョブの場合は、送信側からの画像データをネットワークアプリケーション４１２０がＨＤＤに保存するとともにコピーアプリケーション部４０２０に対してジョブを発行する。
【０１２０】
コピーアプリケーション部４０２０は共通インタフェース４０３０を介してジョブマネージャ４０４０にプリントジョブを投入する。ローカルコピーとは異なり、スキャンマネージャ４０５０に代わってファイルリードマネージャ４０６０がジョブマネージャ４０４０からの要求を受ける。
【０１２１】
そして、受信画像データをＨＤＤからメモリに展開するための要求をシンクマネージャ４０８０を介して、イメージマネージャ４１１０に行う。イメージマネージャ４１１０はメモリに画像を展開する。
【０１２２】
イメージマネージャ４１１０は展開が終了した時点で、展開終了をシンクマネージャ４０８０を経由して、ファイルリードマネージャ４０６０とプリントマネージャ４０９０に伝える。
【０１２３】
プリントマネージャ４０９０はメモリに画像が入った時点でデバイスＩ／Ｆを介して、プリンタ２０１７にジョブマネージャから指示された給紙段、もしくはその用紙サイズを有する段を選択し、印刷要求を出す。なお、自動用紙の場合には画像サイズから給紙段を決定し印刷要求を出す。
【０１２４】
同時に、シンクマネージャ４０８０にプリント画像処理要求を行う。シンクマネージャ４０８０はプリントマネージャ４０９０から要求を受けたらプリント画像処理設定をイメージマネージャ４１１０に依頼する（この時、例えば最適サイズ用紙がなくなり、回転が必要になれば別途回転指示も依頼する。回転指示があった場合にはイメージマネージャが回転器２０１９を使って画像を回転する。）。
【０１２５】
イメージマネージャ４１１０は、プリンタ画像処理部２０９０の設定を行い、シンクマネージャ４０８０を介してプリントマネージャ４０９０にプリント準備完了を伝える。プリントマネージャ４０９０はプリンタに対して印刷指示を出す。プリント画像転送完了は図示しないハードウェアからの割り込み信号によってイメージマネージャ４１１０に伝わる。
【０１２６】
イメージマネージャ４１１０からのプリント完了を受けてシンクマネージャ４０８０はプリント完了をファイルリードマネージャ４０６０とプリントマネージャ４０９０に伝える。ファイルリードマネージャ４０６０は、終了通知をジョブマネージャ４０４０に返す。プリントマネージャ４０９０は、プリンタ部からの排紙完了を受け、ジョブマネージャ４０４０に対して終了通知を返す。ジョブマネージャ４０４０は、共通インタフェース４０３０を介してコピーアプリケーション部４０２０へ終了通知を返す。
【０１２７】
コピーアプリケーション部４０２０はスキャン、プリントが終了したらジョブ終了をＵＩ制御部に通知する。
【０１２８】
一方、ＰＤＬデータ展開格納ジョブの場合は、ＰＤＬプリントを投入したホストＰＣからの要求がネットワークアプリケーション４１２０を経由してＰＤＬアプリケーション４０２３に伝達される。ＰＤＬアプリケーションがＰＤＬデータ展開格納ジョブを共通インタフェース４０３０を介してジョブマネージャ４０４０に指示する。
【０１２９】
この時、ＰＤＬマネージャ４０７０とファイルストアマネージャ４１００がジョブマネージャ４０４０からの要求を受ける。画像のＲＩＰが終了した後の画像入力する部分に関しては前述のスキャンジョブと同様である。
【０１３０】
メモリ上の画像（文字／写真判定信号を含めて）をＨＤＤ２００４に格納する。画像の付随情報として図示しないＳＲＡＭにカラー／白黒情報、画像入力元としてＰＤＬ画像、色空間ＣＭＹＫもしくはＲＧＢも格納しておく。ＰＤＬ画像をＨＤＤ２００４に格納し終わった時点で、シンクマネージャ４０８０から格納完了通知を受け、それを共通インタフェース４０３０を介してＰＤＬアプリケーション４０２３に通知する。
【０１３１】
ＰＤＬアプリケーション４０２３はこの通知の後、ネットワークアプリケーション４１２０にＨＤＤに格納完了を通知し、ＰＤＬプリントを投入したホストＰＣへこの情報が伝達される。また、ＰＤＬプリントジョブの場合にはＰＤＬマネージャ４０７０とプリントマネージャ４０９０によって、メモリ上に展開された画像を印字する。
【０１３２】
ＰＤＬ展開され格納された画像データのプリントはＵＩで印刷指示された格納文書をＢＯＸアプリケーションに対してプリントジョブとして発行する。ＢＯＸアプリケーション部４０２２は共通インタフェース４０３０を介してジョブマネージャ４０４０にプリントジョブを投入する。ローカルコピーとは異なり、スキャンマネージャ４０５０に代わってファイルリードマネージャ４０６０がジョブマネージャ４０４０からの要求を受ける。
【０１３３】
印刷指示された画像ＹＥＳをＨＤＤからメモリに展開するための要求をシンクマネージャ４０８０を介して、イメージマネージャ４１１０に行う。この後の動作はリモートコピーのプリントジョブで説明した動作と同様のため、省略する。
【０１３４】
図１５は、本発明に係る画像入出力装置における画像メモリの管理方法を説明する模式図であり、本実施形態では、画像メモリ管理には、面管理テーブルＦＭＴとブロック管理テーブルＢＭＴを用いる。
【０１３５】
図１５に示すように、ブロック管理テーブルＢＭＴは、実メモリＲＭ上の領域のアドレスとサイズ、次のブロックへのポインタ、使用中フラグから成る。ブロック管理テーブルＢＭＴの実メモリＲＭ上の領域のアドレスとサイズの指し示す領域が画像処理に使用される。
【０１３６】
また、そのブロックが使用されているときには使用中フラグに「１」を入れ、使用されていないときには「０」を入れる。また、ブロック管理テーブルＢＭＴには次のブロックを指し示すポインタがあり、これを用いてブロック管理テーブルＢＭＴをリスト形式にすることにより複数のブロックをまとめて使用することができる。
【０１３７】
この纏めた複数のブロックを１面として管理するのが面管理テーブルＦＭＴである。面管理テーブルＦＭＴは用途、すなわち画像処理の種別と先頭ブロックへのポインタ、割当済みフラグ、使用中フラグから成る。画像処理の種別はスキャン用、変倍用、回転用、ＨＤＤ読出し用など、画像データをメモリ上へ書き込む際の処理の内容である。
【０１３８】
先頭ブロックへのポインタが指し示すブロック管理テーブルＢＭＴによって面管理テーブルＦＭＴが使用する１面の画像メモリを表現する。使用中フラグは、画像処理が実行されているかどうかに関わらず、その面が使用されているかどうかのフラグである。実行中フラグは、実際に画像処理が実行されているかどうかのフラグである。
【０１３９】
以下、本発明に係る画像入出力装置における画像メモリに対するイメージマネージャ４１１０によるハンドリングについて図１６〜図１８を参照して説明する。以下、具体例として、プリント時のイメージマネージャ４１１０の動作を説明する。
【０１４０】
図１６は、本発明に係る画像入出力装置におけるプリントシーケンスの一例を示す図であり、例えばプリント時の画像パスの例であり、１ページ目と２ページ目はＨＤＤから画像データを読み出し、それを回転してプリント、３ページ目はＨＤＤから画像データを読み出し、それを色空間変換を行ってから回転してプリント、という処理を実行する画像パスである。
【０１４１】
図１６において、イメージマネージャ４１１０は、５つの内部モジュールに分割されており、それぞれ画像処理決定部４１１０−１、１ページ目の画像処理実行部４１１０−２、２ページ目の画像処理実行部４１１０−３、３ページ目の画像処理実行部４１１０−４、画像メモリ管理部４１１０−５である。なお、（５１０１）〜（５１７２）は各ステップを示す。なお、説明上、空きステップとして、説明しないステップもステップ番号が付与されている場合がある。
【０１４２】
図１７は、本発明に係る画像入出力装置におけるページ管理テーブルの一例を示す図である。
【０１４３】
図１８は、本発明に係る画像入出力装置における画像管理テーブルの一例を示す図である。
【０１４４】
図１４に示したシンクマネージャ４０８０からイメージマネージャ４１１０に１ページ目の処理開始が通知されると、ステップ（５１０１）で、画像処理決定部４１１０−１は、１ページ目の画像パスを決定し、図１７に示したページ管理テーブル５２０１に決定した画像処理の内容を書き込む。図１８に示すテーブル５３０１には各画像処理の処理内容、ここではＨＤＤ読み出し、回転、プリントと、各画像処理の入出力色空間、入出力解像度、入出力画素数、回転角度、入出力圧縮形式、等をしめす値が格納される。
【０１４５】
そして、画像処理決定部４１１０−１はテーブル５３０１を画像メモリ管理部４１１０−５に通知する。画像メモリ管理部４１１０−５では画像処理管理テーブル５２０１に基づいて画像メモリの配分を決定し、ここではＨＤＤ読出し用のメモリと、回転用のメモリの面管理テーブルＦＭＴの使用中フラグに「１」を立てることにより面管理テーブルＦＭＴを割当て、さらにそれぞれの面管理テーブルＦＭＴにメモリブロックを割り当てる。
【０１４６】
続けて、ステップ（５１０２）で、画像処理決定部４１１０−１は１ページ目の画像処理開始を１ページ目の画像処理実行部４１１０−２に通知する。１ページ目の画像処理実行部４１１０−２は、ステップ（５１０３）で、ＨＤＤ読出し用のメモリの獲得を画像メモリ管理部４１１０−５へ要求する。画像メモリ管理部４１１０−５は、この要求に応じて、ステップ（５１０４）で、ＨＤＤ読出し用メモリの面管理テーブルＦＭＴの実行中フラグに「１」を立てるとともに先頭のブロック管理テーブルＢＭＴを１ページ目の画像処理実行部４１１０−２へ通知する。
【０１４７】
１ページ目の画像処理実行部４１１０−２は、ステップ（５１０５）でＨＤＤ読出しを開始し、これによってＨＤＤ読出し用メモリへ画像データが格納される。ステップ（５１０９）でＨＤＤ読出しが終了すると、１ページ目の画像処理実行部４１１０−２は、ステップ（５１１０）で回転用メモリの獲得を画像メモリ管理部４１１０−５へ要求する。
【０１４８】
画像メモリ管理部４１１０−５はこれに応じてステップ（５１１１）で回転用メモリの面管理テーブルＦＭＴの実行中フラグに「１」を立てるとともに先頭ブロックを１ページ目の画像処理実行部４１１０−２へ通知し、１ページ目の画像処理実行部４１１０−２は、ステップ（５１１２）でＨＤＤ読出し用メモリを入力画像、回転用メモリを出力画像として回転処理を開始する。
【０１４９】
ここで、シンクマネージャ４０８０から２ページ目の処理開始がイメージマネージャ４１１０へ通知されると、画像処理決定部４１１０−１は１ページ目と同様に２ページ目の画像処理を決定し、テーブル５３０１を生成してステップ（５１１４）でテーブル５３０１を用いて２ページ目の画像処理決定を画像メモリ管理部４１１０−５へ通知する。
【０１５０】
画像メモリ管理部４１１０−５はテーブルを１ページ目と比較判定し、ここではテーブルの内容が同じであるため、画像メモリの配分を変えないことを決定する。続けて、画像処理決定部４１１０−１は、ステップ（５１１５）で２ページ目の画像処理開始を２ページ目の画像処理実行部４１１０−３へ通知すると、２ページ目の画像処理実行部４１１０−３は、ステップ（５１１６）でＨＤＤ読出し用メモリの獲得を画像メモリ管理部４１１０−５へ要求する。
【０１５１】
画像メモリ管理部４１１０−５は、ＨＤＤ読出し用メモリの面管理テーブルＦＭＴを調べ、ここでは１ページ目の画像処理実行部４１１０−２の回転処理の入力画像としてＨＤＤ読出し用メモリが使用されているため面管理テーブルＦＭＴの実行中フラグに「１」が入っているため、ステップ（５１１６）では要求に対する通知を行わず、画像メモリ管理部４１１０−５内部の獲得待ちキューに要求をキューイングする。
【０１５２】
そして、ステップ（５１１８）において、１ページ目の画像処理実行部４１１０−１の回転処理が終了すると、１ページ目の画像処理実行部４１１０−１は、ステップ（５１１９）においてＨＤＤ読出し用のメモリ解放を画像メモリ管理部４１１０−５へ通知する。
【０１５３】
続けて、ステップ（５１２０）で回転用メモリに格納された回転後の画像データを入力画像としてプリントを開始する。画像メモリ管理部４１１０−５はステップ（５１１９）のＨＤＤ読出し用メモリの解放通知でＨＤＤ読出し用メモリの実行中フラグを「０」にする。
【０１５４】
ここで、画像メモリ管理部４１１０−５は獲得待ちキューを調べ、獲得待ちキューにキューイングされていた２ページ目の画像処理実行部４１１０−３のＨＤＤ読出し用メモリ獲得要求に対してＨＤＤ読出し用メモリのアドレスを通知する。
【０１５５】
そして、２ページ目の画像処理実行部４１１０−３では、この通知に応じてステップ（５１２１）でＨＤＤ読出しを開始し、ステップ（５１２５）でＨＤＤ読出しが終了すると、ステップ（５１２６）で回転用メモリの獲得を画像メモリ管理部４１１０−５に要求する。
【０１５６】
画像メモリ管理部４１１０−５は、前述のＨＤＤ読出し用メモリの場合と同様に、回転用メモリ上の画像が１ページ目のプリント処理の入力画像として使用されているため、この要求を獲得待ちキューにキューイングする。
【０１５７】
そして、ステップ（５１２８）で、１ページ目のプリントが終了すると、１ページ目の画像処理実行部４１１０−２は、ステップ（５１２９）で、回転用メモリの解放を画像メモリ管理部４１１０−５に通知し、画像メモリ管理部４１１０−５は回転用メモリのアドレスを画像処理実行部４１１０−１に通知して、ステップ（５１３１）で２ページ目の画像処理実行部４１１０−３は回転処理を開始する。
【０１５８】
ここで、シンクマネージャ４０８０から２ページ目の処理開始がイメージマネージャ４１１０へ通知されると、画像処理決定部４１１０−１は１ページ目、２ページ目と同様に画像パスを決定する。
【０１５９】
ここでは、ＨＤＤ上に蓄積されている画像データの色空間が１ページ目、２ページ目と違うため、決定した画像処理内容はテーブル５２０２のようになる。
【０１６０】
そして、ステップ（５１３３）で、テーブル５２０２の内容が画像処理決定部４１１０−１から画像メモリ管理部４１１０−５へ通知されると、画像メモリ管理部４１１０−５はテーブル５２０２とテーブル５２０１を比較判定し、処理内容が違っているため画像メモリの配分の変更が必要であると判断する。
【０１６１】
そして、ステップ（５１３４）で、３ページ目の画像処理開始が３ページ目の画像処理実行部４１１０−４に通知され、それに応じて３ページ目の画像処理実行部４１１０−４はＨＤＤ読出し用メモリの獲得をステップ（５１３６）で画像メモリ管理部４１１０−５に通知するが、画像メモリ管理部４１１０−５は３ページ目の処理において画像メモリの配分の変更が必要であると判断しているため、メモリ獲得要求には応じず、獲得待ちキューへキューイングする。
【０１６２】
そして、ステップ（５１３８）からステップ（５１４５）では２ページ目の画像処理実行部４１１０−３は前述の１ページ目の処理と同様に回転、プリントを実行し、ステップ（５１４５）で回転用のメモリ解放を画像メモリ管理部４１１０−５へ通知する。
【０１６３】
画像メモリ管理部４１１０−５は２ページ目の回転用のメモリ解放の通知を待って、２ページ目の処理が終了したと判断し、ステップ（５１４６）で画像メモリの配分を決定し、ＨＤＤ読出し用、色空間変換用、回転用のメモリをそれぞれ確保する。
【０１６４】
そして、ステップ（５１４７）で獲得待ちキューにある３ページ目のＨＤＤ読出し用メモリ要求に応じてＨＤＤ読出し用メモリのアドレスを３ページ目の画像処理実行部４１１０−４へ通知する。以降、ステップ（５１４８）からステップ（５１７２）において、３ページ目の画像処理実行部４１１０−４と画像メモリ管理部４１１０−５が３ページ目の処理を実行するが、１ページ目、２ページ目と同様な処理のため説明は省略する。
【０１６５】
ここでは、前ページの画像処理と次ページ目の画像処理が同じであるかどうかによっておいて画像メモリの配分の変更するかどうかを判断したが、これに限らない。例えば、前ページ（多値画像を２値画像に変換する画像処理を実行する）と次ページ（カラー画像を白黒に変換する画像処理を実行する）で実行する画像処理が異なっている場合でも、画像メモリの配分の変更が必要ない場合は画像メモリの配分の変更を行わないようにしてもよい。
【０１６６】
尚、本発明は、上記した実施形態に限定されるものではなく、本発明の要旨を逸脱しない範囲内において種々変更を加え得ることは勿論である。
【０１６７】
以下、図１９に示すメモリマップを参照して本発明に係る画像入出力装置で読み取り可能なデータ処理プログラムの構成について説明する。
【０１６８】
図１９は、本発明に係る画像入出力装置で読み取り可能な各種データ処理プログラムを格納する記憶媒体のメモリマップを説明する図である。
【０１６９】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１７０】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１７１】
本実施形態における図１６に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１７２】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１７３】
この場合、記憶媒体から読み出されたプログラムコード自体が本発明の新規な機能を実現することになり、そのプログラムコードを記憶した記憶媒体は本発明を構成することになる。
【０１７４】
従って、プログラムの機能を有していれば、オブジェクトコード、インタプリタにより実行されるプログラム、ＯＳに供給するスクリプトデータ等、プログラムの形態を問わない。
【０１７５】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１７６】
この場合、記憶媒体から読出されたプログラムコード自体が前述した実施形態の機能を実現することになり、そのプログラムコードを記憶した記憶媒体は本発明を構成することになる。
【０１７７】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１７８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１７９】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１８０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１８１】
本発明は上記実施形態に限定されるものではなく、本発明の趣旨に基づき種々の変形（各実施形態の有機的な組合せを含む）が可能であり、それらを本発明の範囲から排除するものではない。
【０１８２】
本発明の様々な例と実施形態を示して説明したが、当業者であれば、本発明の趣旨と範囲は、本明細書内の特定の説明に限定されるのではない。
【産業上の利用可能性】
【０１８３】
上記実施形態では、画像データをパケット単位で処理する画像入出力装置を例とした場合について説明したが、画像データを他の転送処理方法で転送処理する画像入出力装置にも本発明を適用することが可能である。
【図面の簡単な説明】
【０１８４】
【図１】本発明の一実施形態を示す画像入出力装置を適用可能な画像形成装置システムの全体の構成を説明するブロック図である。
【図２】図１に示した画像形成装置の構成を説明するブロック図である。
【図３】本発明に係る画像入出力装置における画像データの構造を説明する図である。
【図４】図３に示したパケットデータの一例を示す図である。
【図５】図２に示したスキャナ画像処理部の構成を説明する詳細ブロック図である。
【図６】図２に示したプリンタ画像処理の詳細構成を説明するブロック図である。
【図７】図２に示した画像入力出力デバイスの外観を示す斜視図である。
【図８】図２に示した操作部の一例を示す平面図である。
【図９】図８に示したＬＣＤ表示部に表示される操作画面の一例を示す図である。
【図１０】図８に示したＬＣＤ表示部に表示される操作画面の一例を示す図である。
【図１１】図８に示したＬＣＤ表示部に表示される操作画面の一例を示す図である。
【図１２】図８に示したＬＣＤ表示部に表示される操作画面の一例を示す図である。
【図１３】図８に示したＬＣＤ表示部に表示される操作画面の一例を示す図である。
【図１４】本発明に係る画像入出力装置のモジュール構成を説明するブロック図である。
【図１５】本発明に係る画像入出力装置における画像メモリの管理方法を説明する模式図である。
【図１６】本発明に係る画像入出力装置におけるプリントシーケンスの一例を示す図である。
【図１７】本発明に係る画像入出力装置におけるページ管理テーブルの一例を示す図である。
【図１８】本発明に係る画像入出力装置における画像理管理テーブルの一例を示す図である。
【図１９】本発明に係る画像入出力装置で読み取り可能な各種データ処理プログラムを格納する記憶媒体のメモリマップを説明する図である。
【符号の説明】
【０１８５】
４１１０−１  画像処理決定部
４１１０−２〜４１１０−４  画像処理実行部
４１１０−５  画像メモリ管理部
【図１】
2005110020.tif 000003
【図２】
2005110020.tif 000004
【図３】
2005110020.tif 000005
【図４】
2005110020.tif 000006
【図５】
2005110020.tif 000007
【図６】
2005110020.tif 000008
【図７】
2005110020.tif 000009
【図８】
2005110020.tif 000010
【図９】
2005110020.tif 000011
【図１０】
2005110020.tif 000012
【図１１】
2005110020.tif 000013
【図１２】
2005110020.tif 000014
【図１３】
2005110020.tif 000015
【図１４】
2005110020.tif 000016
【図１５】
2005110020.tif 000017
【図１６】
2005110020.tif 000018
【図１７】
2005110020.tif 000019
【図１８】
2005110020.tif 000020
【図１９】
2005110020.tif 000021